(57)【要約】本発明は、鍵の平坦な鍵ブレード（１００）を受ける鍵穴を有する回転可能な鍵プラグと、鍵プラグ内の関連するチャンバ内で案内され、鍵穴に突出した横方向指部（２１１ａ、２１１ｂ；３１１、３１２；４１１、４１２ａ、４１２ｂ）を有する少なくとも２個の側面係止タンブラ（２０１ａ、２０１ｂ；３０１、３０２；４０１、４０２）とを備えたシリンダ錠を含む、錠および鍵の組合体に関する。鍵ブレードの側面凹部（１１５，１１８）にはコードパターン（１１０）があり、このコードパターン（１１０）は、鍵の少なくとも片側表面（１０１）に形成された少なくとも２つの別個のコード面であって、側面凹部の外側部分に、前記片側表面（１０１）に隣接して配置された一次コード面（１３１〜１３５；１４１”；１５１）と、側面凹部のより深い部分を形成する溝内に画定された第２のコード面（１４１〜１４５；１４２’、１５２）とを含む、コード面を備える。一次コード面、および二次コード面は、関連する側面係止タンブラの第１の指部および第２の指部（２１１ｂ、３１１、４１１および２１１ａ、３１２、４１２ａ）と係合する。かかる錠および鍵を用いて、親鍵システムを設計することができる。
2013540923.tif 000002
【特許請求の範囲】
【請求項１】
−  平坦な鍵ブレードを受ける鍵穴を有する回転可能な鍵プラグを備えたシリンダ錠と、
−  前記平坦な鍵ブレードを備えた鍵（１００）と、
−  前記シリンダ錠内の少なくとも２個の側面係止タンブラ（２０１ａ、２０１ｂ、３０１、３０２、４０１、４０２）であって、前記鍵プラグの関連するチャンバ内で上下に、また場合によっては回転して動くように案内され、かつ前記鍵を前記鍵穴に挿入すると、前記鍵ブレードと係合するように、前記鍵穴に突出した横方向指部（２１１ａ、２１１ｂ；３１１、３１２；４１１、４１２ａ、４１２ｂ）を有する側面係止タンブラと、
−  前記鍵ブレードの側面凹部（１１５、１１８）にある関連するコードパターン（１１０）であって、適正にコード化された鍵を前記鍵穴に挿入すると、前記横方向指部と係合し、前記鍵プラグが前記シリンダ錠内で回転することが可能となる位置に、前記側面係止タンブラを配置するコードパターン（１１０）と
を備える錠および鍵の組合体であって、
−  前記指部は、異なる長さを有し、少なくとも１つは第１の短い長さを有し、少なくとも１つは第２の長い長さを有し、
−  前記短い指部は、前記鍵ブレードの前記側面凹部の外側部分に、いくつかの第１のコード面部分を有する一次コード面と係合し、前記長い指部は、前記鍵ブレードの前記側面凹部の内側のより深い部分に、いくつかの第２のコード面部分を有する二次コード面と係合する、錠および鍵の組合体において、
−  前記横方向指部はそれぞれ、前記関連するチャンバの中央軸を通って延びる横断面に対して中央に配置された特定の長手方向位置、または前記横断面から長手方向にずらして配置された特定の長手方向位置に配置され、
−  前記鍵の前記第１のコード面部分および第２のコード面部分は、長手方向に特定的に分散配置され、それによって前記鍵を前記鍵穴に挿入すると、前記横方向指部が、前記第１のコード面部分および第２のコード面部分（１１１、１１２；１４１、１４２；１５１、１５２）に着座することが可能となり、
−  前記第１のコード面部分および第２のコード面部分は、前記平坦な鍵ブレードの３次元において、すなわち、
−  前記平坦な鍵ブレードを画定する垂直平面の上下方向に、
−  前記垂直平面に直交する深さ方向に、かつ
−  前記鍵ブレードに沿った長手方向に
おいて、概して不定の、または分離された別個の位置に配置され、したがってコードの組合せ数が増加しながらもコンパクトなコードパターンが、前記鍵ブレードに形成されることを特徴とする錠および鍵の組合体。
【請求項２】
前記二次コード面は、前記側面凹部の前記より深い部分を形成する内溝によって形成されることを特徴とする請求項１に記載の錠および鍵の組合体。
【請求項３】
前記一次コード面は、前記側面凹部の前記外側部分（１１１、１４１’、１５１）を形成する外溝によって形成され、前記外溝は、前記平坦な鍵ブレードの前記片側表面に隣接した対向する２つの側壁を備えることを特徴とする請求項２に記載の錠および鍵の組合体。
【請求項４】
前記内溝（１１２）は、前記側面凹部の前記外側部分（１１１）よりも狭いことを特徴とする請求項３に記載の錠および鍵の組合体。
【請求項５】
前記内溝（１５２）は、切り欠かれ、前記側面凹部の前記外側部分（１５１）よりも広いことを特徴とする請求項３に記載の錠および鍵の組合体。
【請求項６】
前記別個のコード面（１３１〜１３５、１４１’〜１４５）の少なくとも１つは、波状であることを特徴とする請求項１に記載の錠および鍵の組合体。
【請求項７】
前記第１の指部および第２の指部（２１１ａ、２１１ｂ）の少なくとも一方は、前記側面凹部（１１２、１１１）の対向する壁間で確実に案内されることを特徴とする請求項１に記載の錠および鍵の組合体。
【請求項８】
前記第１の指部および第２の指部の一方（２１１ｂ）は、前記鍵ブレードの長手方向に直交する垂直寸法で測定して、他方（２１１ａ）よりも高いことを特徴とする請求項１に記載の錠および鍵の組合体。
【請求項９】
前記第１の側面係止タンブラおよび第２の側面係止タンブラの少なくとも一方（４０１）は、ばねで付勢され、それによって前記関連するコード面と係合することを特徴とする請求項１に記載の錠および鍵の組合体。
【請求項１０】
前記第１の側面係止タンブラおよび第２の側面係止タンブラの少なくとも一方（２０１ａ、２０１ｂ）は、同一チャンバ内に収容されたもう一方の半体と相補関係にある半体によって構成され、各対の２個の前記半体は、互いに独立して動くことができることを特徴とする請求項１に記載の錠および鍵の組合体。
【請求項１１】
側面タンブラの対の列（２０１ａ、２０１ｂ、２０２ａ、２０２ｂ）が長手方向にあり、各対は、２個の相補関係にある半体を備えることを特徴とする請求項１０に記載の錠および鍵の組合体。
【請求項１２】
前記第１の側面タンブラ（２０１ｂ）および／または前記第２の側面係止タンブラ（２０１ａ）は、前記鍵プラグ内で回転しないように案内されることを特徴とする請求項１に記載の錠および鍵の組合体。
【請求項１３】
前記鍵プラグ内で回転しないように案内される前記側面タンブラ（３０２）に、横方向指部が設けられ、前記横方向指部は、それぞれの前記側面タンブラを通り、前記鍵穴の長手方向に横切って延びる中央平面に対して中央に配置された特定の位置（３１２ｃ）、または前記中央平面から長手方向にずらして配置された特定の位置（３１２ｌ、３１２ｒ）に配置されることを特徴とする請求項１２に記載の錠および鍵の組合体。
【請求項１４】
前記第２の側面係止タンブラ（５０２）の少なくとも１個に、第１の狭い部分と、前記内溝の切欠き部分に嵌合するように構成された第２の広くなった部分とを有する指部（５１２ｌ、５１２ｃ、５１２ｒ）が設けられることを特徴とする請求項５に記載の錠および鍵の組合体。
【請求項１５】
前記側面タンブラの少なくとも１個（４０１）は、前記鍵プラグ内で回転可能に案内され、関連する指部（４１１）は、関連するコード面と係合する間、２つの端部位置間で回動可能であることを特徴とする請求項１に記載の錠および鍵の組合体。
【請求項１６】
少なくとも１本の親鍵（Ａ）、および少なくとも２本の特定の鍵（Ｂ、Ｃ）を有する錠および鍵のシステムの一部を形成し、前記鍵（Ａ、Ｂ、Ｃ）は全て、一次コード面、および二次コード面を備えたダブルコードを有し、前記親鍵（Ａ）は、様々な位置にある異なる種類の係止タンブラ（３１１ｃまたは３１２ｃ）を有する一群の錠の全ての錠を解除するように構成され、一方、前記特定の鍵（Ｂ、Ｃ）はそれぞれ、ただ１つの錠だけ、または前記一群の錠内の錠のサブセットだけを解除するように構成されることを特徴とする請求項１に記載の錠および鍵の組合体。
【請求項１７】
前記側面係止タンブラの少なくとも１個は、円筒形本体によって構成されることを特徴とする前記請求項のいずれかに記載の錠および鍵の組合体。
【請求項１８】
鍵穴を備えた鍵プラグ、および少なくとも２個の側面係止タンブラを有するシリンダ錠を操作する鍵（１００）であって、コードパターン（１１０）を側面凹部に有し、前記コードパターン（１１０）は、前記鍵ブレードを前記鍵穴に挿入すると、前記側面係止タンブラと係合し、前記鍵プラグが前記シリンダ錠内で回転することが可能となる位置に、前記側面係止タンブラを配置する実質的に平坦な鍵ブレード（１０２）を備える鍵（１００）において、
前記鍵ブレードの前記側面凹部にある前記コードパターンは、前記鍵ブレードの少なくとも片面に形成され、前記鍵ブレードの長さの少なくとも一部に沿って延在する少なくとも２つの別個のコード面を備え、前記少なくとも２つの別個のコード面は、前記鍵ブレードの同じ面（１０１）上に、
−  前記側面凹部の外側部分の少なくとも一方の側壁に、前記鍵ブレードの前記片側表面に隣接して、長手方向に特定的に分散配置された第１のコード面部分を備えた一次コード面（１３１〜１３５、１４１’、１５１）と、前記側面凹部の内側のより深い部分に特定的に長手方向に分散配置された第２のコード面部分を備えた少なくとも１つの二次コード面（１４１〜１４５、１４２’、１５２）とを備え、
−  前記第１のコード面部分および第２のコード面部分は、前記鍵ブレードのそれぞれのタンブラ接触領域の３次元において、すなわち
−  前記平坦な鍵ブレードを画定する垂直平面の上下方向に、
−  前記垂直平面に直交する深さ方向に、かつ
−  前記鍵ブレードに沿った長手方向に
おいて、概して不定の、または分離され、明確に画定された位置に配置され、したがってコードの組合せ数が増加しながらもコンパクトなコードパターンが、鍵ブレードに形成されることを特徴とする鍵（１００）。
【発明の詳細な説明】
【技術分野】
【０００１】
本発明は、シリンダ錠、および平坦な鍵ブレードを備えた鍵を含む、錠および鍵の組合体に関する。この錠は、平坦な鍵ブレードを受ける鍵穴を有する回転可能な鍵プラグと、シリンダ錠内の少なくとも２個の側面係止タンブラであって、前記鍵プラグの関連するチャンバ内で上下に、また場合によっては回転して動くように案内され、かつ鍵を鍵穴に挿入すると、鍵ブレードと係合するように、鍵穴に突出した横方向指部を有する側面係止タンブラとを有する。鍵ブレードは、関連するコードパターンを側面凹部に有し、このコードパターンは、適正にコード化された鍵を鍵穴に挿入すると、前記側面係止タンブラと係合し、鍵プラグがシリンダ錠内で回転することが可能となる位置に、前記側面係止タンブラを配置するものである。
【背景技術】
【０００２】
かかる錠および鍵は以前から知られている（例えば、特許文献１、および特許文献２参照）（両文献とも、Ｂｏ  Ｗｉｄｅｎ名義である）。これらの既知の錠および鍵のシステムによって、高レベルのセキュリティが実現され、多数のコードの組合せが提供されている。
【０００３】
さらに、同様の錠および鍵の組合体が開示されており（例えば、特許文献３参照）、ここでは側面係止タンブラの横方向指部は、異なる長さを有し、一方は第１の短い長さを有し、もう一方は第２の長い長さを有し、短い指部は、鍵ブレードの前記側面凹部の外側部分に、いくつかの第１のコード面部分を有する一次コード面と係合し、長い指部は、鍵ブレードの前記側面凹部の内側のより深い部分に、いくつかの第２のコード面部分を有する二次コード面と係合する。
【先行技術文献】
【特許文献】
【０００４】
【特許文献１】米国特許第４７５６１７７号明細書
【特許文献２】米国特許第５７１５７１７号明細書
【特許文献３】ＡＴ３９２５０８Ｂ
【特許文献４】国際公開第２００６／０９８６７５号パンフレット
【発明の概要】
【課題を解決するための手段】
【０００５】
上記背景に抗して、本発明は、少なくとも同じ、または向上したセキュリティレベルを維持しながらも、より多数のコードの組合せを実現することを目的とする。
【０００６】
−  上記目的は、錠および鍵の組合体であって、前記横方向指部はそれぞれ、関連するチャンバの中心軸を通って延びる横断面に対して中央に配置された特定の長手方向位置、またはその横断面から長手方向にずらして配置された特定の長手方向位置に配置され、
−  前記鍵の前記第１のコード面部分および第２のコード面部分は、長手方向に特定的に分散配置され、それによって鍵を鍵穴に挿入すると、前記横方向指部が、前記第１のコード面部分および第２のコード面部分（１１１、１１２；１４１、１４２；１５１、１５２）に着座することが可能となり、
−  前記第１のコード面部分および第２のコード面部分は、前記平坦な鍵ブレードの３次元において、すなわち
−  前記平坦な鍵ブレードを画定する垂直平面の上下方向に、
−  前記垂直平面に直交する深さ方向に、かつ
−  前記鍵ブレードに沿った長手方向に
おいて、概して不定の、または分離された別個の位置に配置され、したがってコードの組合せ数が増加しながらもコンパクトなコードパターンが、鍵ブレードに形成される錠および鍵の組合体を得ることによって達成される。
【０００７】
したがって、第１の指部および第２の指部がそれぞれ設けられた２種類の側面係止タンブラによって、２つのコード面上の様々なコード位置と相まって、広範囲にわたるコード組合せが実現されることになる。これらのコード面は、互いに平行に延在することができ、それによって錠内、ならびに鍵ブレード上で全体的に非常にコンパクトなコード構成が形成される。
【０００８】
実現可能なある実施形態では、コード面の少なくとも１つは、波状である。
【０００９】
一次コード面は、側面凹部の外側部分にある溝内の対向する２つの第１の側壁の一方によって画定することができ、前記溝はまた、内壁を有する。同様に、二次コード面は、対向する第２の側壁と、それらの間にある底部壁とを有する溝によって画定することができる。このようにすると、２つのコード面を別個に形成することができ、なおかつ鍵ブレードの側面の非常に限られた面積内に収めることができる。それでも、実現可能なコードの組合せ数は、非常に多くなる。
【００１０】
以下の説明から明白となるように、コードパターンの構成は、数多くの仕方で改変することができる。かかる特徴はまた、従属請求項に記載されている。
【００１１】
有利には、こうしたコードパターンを用いて、１本または複数本の親鍵と、ただ１つの錠、または比較的少数の錠だけを操作する、数本の特定の鍵とを含む、親鍵システムを確立することができる。
【００１２】
次に、実現可能な実施形態のいくつかの例を示す添付の図面を参照しながら、本発明についてさらに詳細に説明する。
【図面の簡単な説明】
【００１３】
【図１】鍵ブレード上にダブルコードパターンを有する鍵と、関連する錠のいくつかの、それぞれが半円筒形本体からなる側面係止タンブラ（錠の残りの部分は図示せず）とを示す斜視図である。
【図１ａ】いかなる側面タンブラもない状態の鍵を示し、それによってダブルコードパターンを図１よりもよく示している図である。
【図２】それぞれが単一の円筒形本体によって形成されている側面係止タンブラを備えた第２の実施形態の、同様の斜視図である。
【図２ａ】いかなる側面係止タンブラもない状態の鍵を示す図である。
【図２ｂ】図２の鍵の側面図である。
【図２ｃ】図２ｂの鍵の線ＩＩｃ−ＩＩｃに沿った断面図である。
【図３】いくつかの異なる種類の側面係止タンブラを備えた鍵の第３の実施形態のやはり斜視図である。
【図３ａ】いかなる側面係止タンブラもない状態の図３の鍵を示す図である。
【図３ｂ】図３の鍵の側面図である。
【図３ｃ】図３ｂの鍵の線ＩＩＩｃ−ＩＩＩｃに沿った断面図である。
【図４ａ】それぞれが突出した指部を有する、２対の半円筒形側面係止タンブラの上面図である。
【図４ｂ】それぞれが突出した指部を有する、２対の半円筒形側面係止タンブラの斜視図である。
【図４ｃ】それぞれが突出した指部を有する、２対の半円筒形側面係止タンブラの異なる斜視図である。
【図４ｄ】関連する鍵の断面図である。
【図５ａ】突出した指部を備えた２個の半円筒形側面係止タンブラを示す図である。
【図５ｂ】突出した指部を備えた２個の半円筒形側面係止タンブラを示す図である。
【図５ｃ】突出した指部を備えた２個の半円筒形側面係止タンブラを示す図である。
【図５ｄ】関連する鍵の対応する断面図である。
【図６ａ】突出した指部を備えた、異なる種類の２個の側面係止タンブラを示す図である。
【図６ｂ】突出した指部を備えた、異なる種類の２個の側面係止タンブラを示す図である。
【図６ｃ】突出した指部を備えた、異なる種類の２個の側面係止タンブラを示す図である。
【図６ｄ】関連する鍵の対応する断面図である。
【図７ａ】突出した指部を備えた円筒形側面係止タンブラを示す図である。
【図７ｂ】突出した指部を備えた円筒形側面係止タンブラを示す図である。
【図７ｃ】突出した指部を備えた円筒形側面係止タンブラを示す図である。
【図７ｄ】突出した指部を備えた円筒形側面係止タンブラを示す図である。
【図７ｅ】突出した指部を備えた円筒形側面係止タンブラを示す図である。
【図７ｆ】突出した指部を備えた円筒形側面係止タンブラを示す図である。
【図８ａ】広くなった外側部分を備えた、突出した指部を有する円筒形側面係止タンブラを示す図である。
【図８ｂ】広くなった外側部分を備えた、突出した指部を有する円筒形側面係止タンブラを示す図である。
【図８ｃ】広くなった外側部分を備えた、突出した指部を有する円筒形側面係止タンブラを示す図である。
【図８ｄ】狭い指部を備えたタンブラを示す図である。
【図８ｅ】関連する鍵の断面図である。
【図８ｆ】関連する鍵の側面図である。
【図９ａ】下向きの外側部分を備えた、突出した指部を有する側面係止タンブラを示す類似の図である。
【図９ｂ】下向きの外側部分を備えた、突出した指部を有する側面係止タンブラを示す類似の図である。
【図９ｃ】下向きの外側部分を備えた、突出した指部を有する側面係止タンブラを示す類似の図である。
【図９ｄ】下向きの外側部分を備えた、突出した指部を有する側面係止タンブラを示す類似の図である。
【図９ｅ】下向きの外側部分を備えた、突出した指部を有する側面係止タンブラを示す類似の図である。
【図９ｆ】下向きの外側部分を備えた、突出した指部を有する側面係止タンブラを示す類似の図である。
【図１０ａ】親鍵システムを示す概略図である。
【図１０ｂ】親鍵システムを示す概略図である。
【図１０ｃ】親鍵システムを示す概略図である。
【発明を実施するための形態】
【００１４】
図１および１ａには、鍵１００と、関連する錠２００（その全体は図示せず）のいくつかの側面係止タンブラ２０１ａ、２０１ｂ、２０２ａ、２０２ｂとの組合体が示されており、２個の側面係止タンブラ２０１ａ、２０１ｂ、２０２ａ、２０２ｂ（４個の半体）が完全に描かれ、３個の側面係止タンブラ２０３、２０４、２０５が点線によって概略的に示されている。本実施形態の側面係止タンブラはそれぞれ、２個の半体２０１ａ、２０１ｂ他に分割されており、これらの半体は、錠２００の鍵プラグ内の共通チャンバまたはキャビティ内で、独立して昇降方向（上下）に動くことができる。この鍵プラグは、鍵１００を受ける中央鍵穴を有し、この鍵プラグは、図面には示されていないが、新規な側面係止タンブラを除いては、既知の様式で形成することができ、この新規な側面係止タンブラについて以下で説明する。
【００１５】
鍵１００には、新しい種類のコードパターン（図１ａ参照）、すなわち以下の２つの別個のコード面を備えるダブルコードパターン１１０が設けられ、コード面の１つは、平坦な鍵ブレード１０２の側面１０１にある側面凹部内の、比較的浅い、外側凹部分または溝１１１（というよりはむしろその側面１１４）によって形成された一次コード面であり、もう１つは、より深い内溝１１２に形成された二次コード面である。一次コード面を形成する外溝は、対向する２つの側壁１１３、１１４と、それらの間にある（破断した）内壁または底部壁１１５とによって画定されている。下側壁１１４は、コード化された長手方向表面を形成し、この場合は波状である。ある位置で、この波状のコード化された表面は、様々な側面係止タンブラ２０１（すなわち図１の右側の半体２０１ｂ）、２０２（すなわち図１の右側の半体２０２ｂ）、２０３、２０４、および２０５の位置に対応するコード部分を有する。これらのコード部分は、図１ａの１３１、１３２、１３３、１３４、１３５で示されている。これらのコード部分は、鍵が錠２００に適正に挿入されたときに、明確に画定された昇降（または垂直）位置で側面係止タンブラ半体２０１ｂ、２０２ｂ、２０３ｂ他を支持することになる。
【００１６】
下面または下側壁１１４だけをコード化すれば十分であり、上側壁１１３は必ずしもコード化する必要はない点に留意されたい。しかし、上側壁１１３を用いて、第１の側面係止タンブラの横方向に突出した第１の指部を上下に確実に案内することができ、したがってこの第１の指部は、下側壁１１４と常に係合することになる。一方、この上側壁１１３を省略する場合、例えばばねなどを用いて、第１の側面係止タンブラを（以下で説明するように、その第１の指部で）側壁１１４と接触させなければならず、弦巻ばねを示す図３、６ａ、６ｂ、および６ｃを比較されたい。したがって下側壁１１４は、鍵ブレード１０２の側面にある棚状面に隣接して（かつその下方で）切り欠くことができる。その際、好ましくは、棚の深さまたは厚さは、下側壁１１４の深さと同じでよい。このようにすると、側壁１１４に対向する位置には側壁が存在しないことになる。
【００１７】
本実施形態では、鍵ブレード１０２の外面１０１に実質的に平行な、隣接する内壁または底部壁１１５がある。この内壁または底部壁１１５は、外溝１１１の対向する側壁１１３と１１４との間に延在している。この外溝の幅は、（本実施形態では）内壁または底部壁１１５に切り欠かれている、より深い内溝１１２の幅よりも大きい。
【００１８】
この内側の比較的深い溝１１２もやはり、対向する側壁、すなわち上側壁１１６および下側壁１１７を有する。この溝は、これらの側壁１１６と１１７の間に底部壁１１８を有し、この底部壁１１８もやはり、鍵１００の外面１０１に（さらには、底部壁１１５または外溝１１１にも）実質的に平行である。
【００１９】
２つの溝１１１、１１２は、互いに独立に動作し、それぞれの側面係止タンブラを、それらの第１の指部および第２の指部によってそれぞれ案内することになる。このことは、側面係止タンブラ２０１ａ、２０１ｂ、および２０２ａ、２０２ｂを示す図４ａ、４ｂ、および４ｃからよりよくよく理解されるものであり、これらのタンブラはまた、図１ａにも示されているものである。したがって、半円筒形側面係止タンブラ２０１ａは、比較的長い、または第２の指部２１１ａを有し、この指部２１１ａは、鍵が錠に挿入されると、波状コード面または側壁１１７と係合し、そこに沿って進む。２個の半円筒形側面係止タンブラ２０１ａ、２０１ｂは、鍵プラグ（図示せず）の関連するチャンバ内で、回転しないように案内される。したがって、タンブラ２０１ａ、２０１ｂは回転することはなく、横方向に突出した第１の指部および第２の指部２１１ａ、２１１ｂは、側面係止タンブラが上下に動く際に回動することはない。
【００２０】
本実施形態では、指部２１１ａ、２１１ｂはどちらも、鍵が長手方向に進むと、関連する溝１１１および１１２内でそれぞれ確実に案内される。この目的で、長い指部２１１ａは、その自由端部が、内側の幾分狭い溝１１２の幅または高さに対応して幾分狭くなっており、一方、短い指部２１１ｂは、比較的広く、または高く、したがってこの短い指部２１１ｂは、外側の比較的広い溝１１１の全高または全幅を占めることになる。
【００２１】
２つの溝１１１と１１２とは独立して構成されるものの、以下のある条件が順守されなければならない。内溝１１２は通常、外溝１１１と交差してはならず（しかし、ある状況では交差することもある）、その理由は、内溝が外溝と交差すると、外溝１１１が断絶することになり、短い指部２１１ｂ、および関連する側面係止タンブラ２０１ｂの動きが妨げられることがあるからである。
【００２２】
適正に構成された鍵１００が、錠２００に完全に挿入されると、側面係止タンブラ２０１ｂ、２０２ｂ、２０３ｂ他は、側壁１１４のコード面部分１３１、１３２、１３３、１３４、１３５によって決定される明確に画定された位置に配置されることになり、隣接する側面係止タンブラ２０１ａ、２０２ａ、２０３ａも同様に、内溝１１２の下側壁１１７のコード面部分１４１、１４２、１４３、１４４、１４５によって決定される明確に画定された位置に配置されることになる。これらの明確に画定された位置では、側面係止タンブラ２０１ａ、２０１ｂ、．．．、２０５の背面にある凹部２３１ａ、２３１ｂが一列に並ぶことになり、したがってこれらの凹部は、シリンダ錠２００内で鍵プラグ（図示せず）が回転することを可能とするサイドバー（図示せず）を受けることになり、それ自体は当技術分野において周知である。
【００２３】
図４ｄは、広く、または高いが、浅い外溝１１１と、狭く、幾分深い内溝１１２と、これらの溝の底面１１５、１１８とを含む、ダブルコードパターン１１０を備えた鍵ブレード１０２の断面図を示す。本実施形態では、最も深い溝１１２は、鍵ブレード１０２の半分の厚さ未満の深さを有する。
【００２４】
また、当技術分野で周知のように、溝１１１、１１２によって形成される波状コードパターンは、鍵ブレード１０２の自由端または先端に傾斜面（この場合は共通の傾斜面）１５０を有する。したがって、鍵１００が錠の鍵穴に挿入されると、錠２００の側面係止タンブラ（錠の詳細は図示せず）は、それらの指部が傾斜１５０上を這い上り、次いでそれぞれの波状溝１１１、１１２に沿って進むことになり、その間、指部の上面および下面は、対向する側壁１１６、１１７、および１１３、１１４にそれぞれ接して係合することになる。そのように進む際、側面係止タンブラ２０１ａ、２０１ｂ、２０２ａ、２０２ｂは、鍵ブレード１０２が完全に挿入され、それぞれの指部２１１ａ、２１１ｂ、２１２ａ、２１２ｂ他が、コードを形成する表面部分１３１、１３２、１３３、１３４、１３５、および１４１、１４２、１４３、１４４、１４５上にそれぞれ載置されるまで上下に動くことになり、凹部２３１ａ、２３１ｂ他の位置が揃い、サイドバー（図示せず）がこれらの凹部に入り、鍵プラグが錠２００の円筒ハウジング（図示せず）内で回転することが確実に可能となる。
【００２５】
異なる指部（長い指部および短い指部、または第１の指部および第２の指部）を有する様々な側面係止タンブラの垂直方向の位置は一般に、互いに異なり、かつ互いに独立となることが理解されよう。このようにすると、ダブルコード１１０（１１１、１１２）は非常にコンパクトであり、鍵ブレードの限られた領域内に収まるという事実にもかかわらず、非常に多数の実現可能なコードを設けることができる。とはいえ、この側面係止タンブラは、鍵プラグの標準型の円筒形チャンバにも可動式に取り付けることができる。
【００２６】
各タンブラの背面にある凹部と協働するサイドバーの代替として、当技術分野では周知であるように、タンブラをその長手方向（上または下）に延在させることができ、それによって錠のハウジングの円筒形内面に隣接する、鍵プラグ内の対応する孔と協働させることもできる。
【００２７】
本発明の重要な態様は、鍵ブレードに、２つのコード面が互いに隣接して配置されているということである。一方、側面係止タンブラは、図１、４ａ、４ｂ、４ｃに示すように、長手方向に分割された種類のものである必要はない。そうではなく、側面係止タンブラのいくつか（またはそれらのうちの少なくとも１個）が短い指部、または第１の指部を有し、側面係止タンブラの他のもの（またはそれらのうちの少なくとも１個）が長い指部、または第２の指部を有する限り、側面係止タンブラの全て、または一部は、他の何らかの種類のものでよい。
【００２８】
円筒形の塊状（ｍａｓｓｉｖｅ）側面係止タンブラを備えた実施形態を、図２に（および関連する鍵を図２ａ、２ｂ、２ｃに）示す。かかる円筒形側面係止タンブラ３０１、３０２他（図５ａ、５ｂ、および５ｃも参照。）のそれぞれには、横方向指部３１１、３１２他が設けられ、これらの指部のいくつか（図５ａの３１１）は短くて高く、すなわち「第１の」指部であり、他の指部（図５ａの３１２）は長くて狭く、すなわち「第２の」指部である。前述の実施形態と同様に、第１の指部３１１は、鍵ブレード１０２の側面凹部の外側部分１１１にあるコード面と係合し、一方、長くて狭い「第２の」指部は、より深い溝１１２と係合し、そこに沿って進む（図４ｄでは、より深い溝１１２は偶然に非常に高い位置に配置されており、図５ｄでは、より深い溝１１２は偶然に下方の低い位置に配置されている）。
【００２９】
図５ａおよび５ｂでは、指部３１２、３１１は、側面係止タンブラの本体部分に対して右側に位置がずれて示されている。しかし、当然ながら、これらの指部は、中央に、または左側に配置することも同様に可能である。かかる様々な配置が、（長くて狭い「第２の」指部３１２ｌ、３１２ｃ、３１２ｒについて）図７ａ、７ｂ、７ｃに、また、（短くて高い「第１の」指部３１１ｌ、３１１ｃ、３１１ｒについて）図７ｄ、７ｅ、７ｆに示されている。
【００３０】
また、異なる種類の側面係止タンブラを混在させるという他の可能性もある。図３（および図６ａ、６ｂ、６ｃ）には、弦巻ばね４２１によって付勢され、それによって横方向指部４１１が外側の波状コード面１４１’と接触したまま維持されている第１の係止タンブラ４０１と、図４ａに示す種類のもの（どちらも長くて狭い指部４１２ａ、４１２ｂを備える）であり、波状のより深い溝１４２’（図６ｄ参照）によって案内される１対の第２の係止タンブラ４０２ａ、４０２ｂとが示されている。したがって、これらの第１の係止タンブラ４０１および第２の係止タンブラ４０２ａ、４０２ｂは、異なるように構成されたそれぞれのコード面１４１’、および１４２’にそれぞれ接触し、そこに沿って進むことになる。
【００３１】
第１の側面係止タンブラ４０１は、開示されている種類のもの（例えば、特許文献４参照。）であり、すなわち、図６ａの矢印Ａによって示すように、２つの回転端部位置間で回転可能であり、指部４１１は、図６ｂから分かるように非対称に形成され、タンブラ４０１および指部４１１を通る中央平面に対して円周方向に位置がずれた鍵接触面４１１ａｓを備える。このようにすると、関連するコード部分１４１ｃ（図３ａおよび３ｂ）によって、鍵接触面４１１ａｓが、凹面として形成されたコード部分の明確に画定された位置に着座する状態で指部を配置することができる（例えば、前記特許文献４参照。）。鍵ブレードが錠内で着座すると、この凹面は一般に、側面係止タンブラ４０１の位置（図３ａおよび３ｂのＡ１）に対して右側もしくは左側に位置がずれるか、またはそこに対して中央に配置され、それによってコードを形成する。したがって、第１の側面係止タンブラ４０１は、昇降（上下）可能に、かつ回転可能に配置されることになる。適正な位置では、背面にある凹部４３１は、側面係止タンブラ半体４０２ａ、４０２ｂの対の背面にある、位置が揃った対応する凹部と位置が揃うことになり、それによってサイドバー（図示せず）が、その位置が揃った凹部に着座することが可能となり、したがって鍵プラグ（図示せず）を回転させることができる。
【００３２】
これまで説明してきた実施形態では、凹部の外側部分は幾分広く、内側のより深い部分（溝を形成する部分）は、幾分狭くなっていた。以下で説明する２つの実施形態では、構成が逆であり、すなわち凹部の外側部分が比較的狭く、内側のより深い部分が比較的広い。
【００３３】
図８ａ、８ｂ、８ｃには、比較的長い指部５１２ｌ、５１２ｃ、５１２ｒが、左側、中央、および右側にそれぞれ配置された異なる３個の「第２の」側面係止タンブラ５０２が示されている。これらの第２のタンブラはいずれも、切り欠かれた深い溝１５２を有する、関連する鍵１５０（図８ｅ）の側面凹部に嵌合することになる。この溝は、上部および底部が切り欠かれ、したがって指部５１２ｌ、５１２ｃ、５１２ｒのいずれのものも、その広くなった最外部分で収容することができる。
【００３４】
鍵１５０の側面凹部はまた、より狭い外側部分を有し、この部分は、「第１の」側面係止タンブラ５０１の狭い指部５１１（図８ｄ）をぴったりと受け、案内するように寸法設定されている。この場合、狭い指部５１１が、指部５１２ｌ、５１２ｃ、５１２ｒよりも短いことが厳密に求められることはない。狭い指部５１１は、点線輪郭５１１’で示すように、同じ長さを有してもよい。この改変された狭い指部５１１’は比較的長いが、その自由端部は、コード化されたいかなる表面とも接触することはない。指部５１２ｌ、５１２ｃ、５１２ｒは、より深い切欠き溝１５２によって案内されることになり、狭い指部５１１（または５１１’）は、側面凹部の外側部分１５１によって案内されることになる。
【００３５】
図９ｅに示す実施形態では、鍵１６０は、狭い外側部分１６１と、より広い内側部分１６２とを備えた側面凹部または溝を有し、このより広い内側部分１６２は、その下側部分が切り欠かれている。側面係止タンブラ６０２は、対応する比較的長い指部６１２ｌ、６１２ｃ、６１２ｒを有し、これらの指部には、切欠き溝１６２内に嵌合するように下向きのより広い外側部分が設けられている。これらの指部の内側部分は、側面凹部の外側部分１６１よりも狭く、したがって最も外側の部分だけが切欠き溝１６２の下側部分によって案内される。この下側部分は、第２の側面係止タンブラ６０２の長い、または「第２の」指部６１２ｌ、６１２ｃ、または６１２ｒと係合する波状の二次コード面を形成する。
【００３６】
狭い第１の指部６１１を備えた「第１の」側面係止タンブラ６０１を図９ｄに示す。この指部６１１は、前述の実施形態（図８ｄ）の狭い指部と同様に、６１１’によって示すように幾分長くてもよい。鍵１６０自体もやはり、図９ｆに側面図として示す。当然ながら、外側部分１６１によって形成されるコード面と、内側部分１６２によって形成されるコード面とは、波状の構成が一般に異なるが、これらの部分は互いに比較的近接して存在させなければならず、その理由は、側面凹部１６１、１６２の構造が必然的に従うことになる幾何形状的な制約のためである。本実施形態では、側面係止タンブラは、上側ばね６２１によって下方に保持され、したがってそれらの指部６１２ｌ、６１２ｃ、６１２ｒは、それぞれのコード面（側面凹部の外側部分１６１の下面、および内側部分１６２の下面）と常に接触していることになる。
【００３７】
外溝１６１、および内溝１６２の上部は、側面係止タンブラ６０１、６０２とは係合せず、したがってこれらの溝の側壁は、図９ｆに示すように、単に直線でよい。
【００３８】
さらに、鍵１６０の上方左側部分を、点線１６３の左側まで除去し、（第１のコード面を形成する）棚状面１６１、および隣接する（第２のコード面を形成する）内側部分１６２だけを残すこともやはり可能である。
【００３９】
本発明によれば、鍵ブレードの片面にある側面凹部の（一次コード面、および二次コード面を備えた）外側部分、および内側部分と協働する、「第１の」側面係止タンブラ、および「第２の」側面係止タンブラがなければならない。これらの第１の側面係止タンブラと、第２の側面係止タンブラとは、一般に全て同じ種類（塊状、円筒形、もしくは半円筒形、または他の何らかの種類）のものでも、または異なる種類（円筒形、および半円筒形）のものでもよい。また、タンブラ指部は、全ての「第１の」側面係止タンブラ、および全ての「第２の」側面係止タンブラについて同じ種類のものでも、または（例えば図６ａに示すように）混在してもよい。
【００４０】
外側部分のコード面、および内側部分のコード面は、「波状」である必要はないが、第１の指部および第２の指部が、それらの表面に沿って摺動することが可能となる限り、他の構成を有することができる。それらのコード面は、直線部分、さらには細かい凹凸または段差を有することができる。さらに、かかる凹凸または段差は、関連する指部が長手方向に這い上る、または降りることができるほど十分小さくなければならない。次のコード面区画に、指部を捕捉する傾斜などが設けられ、かかる傾斜を指部が這い上がる場合、中断部（ｉｎｔｅｒｒｕｐｔｉｏｎ）があってもよい。
【００４１】
当然ながら、鍵ブレードは、片面だけに、または両面にダブルコードを有することができる。
【００４２】
鍵はまた、鍵ブレードの上縁部に、中央に配置されたピンと協働する従来のコードを有することができる。
【００４３】
鍵はまた、両面式（逆さまにすることが可能）でもよく、また、長手方向に適切なプロファイル溝を設けることもやはりできる。
【００４４】
側面係止タンブラの個数は、任意に選択することができ、例えば２個の半円筒形タンブラだけでもよい。同様に、タンブラの幾何形状は異なってもよく、例えば、円形断面ではなく矩形断面でもよい。
【００４５】
図１０ａ、１０ｂ、１０ｃに示すように、ダブルコードパターンを用いて、特定的に構成された鍵（図１０ｂおよび１０ｃのＢおよびＣそれぞれ）と、１本または複数本の親鍵（図１０ａ）とを備えた錠および鍵のシステムを確立することができる。これらの図面には、鍵の先端に最も近接して配置されたタンブラ位置と、対応する鍵コード部分だけが示されている。しかし、同じ原理が、鍵の残りのコード部分にもあてはまる。
【００４６】
図１０ｂ（図１ａおよび図７ｂ、７ｅも比較されたい）に示す特定の鍵（「子鍵」）Ｂは、一次コード面１１４を有する広い、または高い第１の溝１１１が、その位置で解除高さに配置される、対応する高い（かつ短い）第１のタンブラ指部３１１ｃを収容し、一方、二次コード面１１５’を有する狭くて深い第２の溝１１２は、図１０ｃに示す位置にある第２のタンブラ指部３１２ｃとの係止を解除することはないように構成され、その理由は、この二次コード面１１５’がこの位置（リフト上）では高すぎる（「ｄ」よりも高い）からである。
【００４７】
一方、図１０ｃに示す特定の鍵Ｃは、この特定の高さに位置する長いタンブラ指部３１２ｃを有する錠を操作するが、図１０ｂに示す位置にある、短くて高いタンブラ指部３１１ｃを有する錠を操作することにはならず、その理由は、この一次コード面１１４’がこの位置（リフト下）では低すぎるからである。したがって、これらの２本の特定の鍵ＣおよびＢはそれぞれ、特定の錠は操作するが、これらの錠の両方ともを操作することにはならない。
【００４８】
しかし、親鍵Ａは、タンブラ指部３１１ｃおよび３１２ｃによって示すように、どちらの錠も操作することになり、というのは、２つのコード面１１４および１１５が適正な高さ、この場合は同じ高さに位置するからである。したがって、この親鍵Ａは、第１のコード面１１４と解除位置で係合する、高くて短いタンブラ指部３１１ｃを有する錠だけでなく、第２のコード面１１５と解除位置で係合する、狭くて長いタンブラ指部３１２ｃを有する錠も同様に、操作することになる。一般に、親鍵は、様々な位置の異なる種類の係止タンブラを有するあらゆる錠を解除するように構成され、一方、特定の鍵はそれぞれ、前記錠の群のうちのただ１つの錠、または錠のサブセットだけを解除するように構成される。
【００４９】
様々な原理を親鍵システムに用いることによって、当業者は、２つ、または３つ以上の高さを備えた親鍵のシステムを含めて、本発明のダブルコードパターンを含む多くの異なる親鍵システムを設計することが可能となる。また、上述の様々な実施形態に含まれるものなど、それぞれの指部の長手方向の位置を変えることもやはり可能である。
【図１】
2013540923.tif 000003
【図１ａ】
2013540923.tif 000004
【図２】
2013540923.tif 000005
【図２ａ】
2013540923.tif 000006
【図２ｂ】
2013540923.tif 000007
【図２ｃ】
2013540923.tif 000008
【図３】
2013540923.tif 000009
【図３ａ】
2013540923.tif 000010
【図３ｂ】
2013540923.tif 000011
【図３ｃ】
2013540923.tif 000012
【図４ａ】
2013540923.tif 000013
【図４ｂ】
2013540923.tif 000014
【図４ｃ】
2013540923.tif 000015
【図４ｄ】
2013540923.tif 000016
【図５ａ】
2013540923.tif 000017
【図５ｂ】
2013540923.tif 000018
【図５ｃ】
2013540923.tif 000019
【図５ｄ】
2013540923.tif 000020
【図６ａ】
2013540923.tif 000021
【図６ｂ】
2013540923.tif 000022
【図６ｃ】
2013540923.tif 000023
【図６ｄ】
2013540923.tif 000024
【図７ａ】
2013540923.tif 000025
【図７ｂ】
2013540923.tif 000026
【図７ｃ】
2013540923.tif 000027
【図７ｄ】
2013540923.tif 000028
【図７ｅ】
2013540923.tif 000029
【図７ｆ】
2013540923.tif 000030
【図８ａ】
2013540923.tif 000031
【図８ｂ】
2013540923.tif 000032
【図８ｃ】
2013540923.tif 000033
【図８ｄ】
2013540923.tif 000034
【図８ｅ】
2013540923.tif 000035
【図８ｆ】
2013540923.tif 000036
【図９ａ】
2013540923.tif 000037
【図９ｂ】
2013540923.tif 000038
【図９ｃ】
2013540923.tif 000039
【図９ｄ】
2013540923.tif 000040
【図９ｅ】
2013540923.tif 000041
【図９ｆ】
2013540923.tif 000042
【図１０ａ】
2013540923.tif 000043
【図１０ｂ】
2013540923.tif 000044
【図１０ｃ】
2013540923.tif 000045
【国際調査報告】
2013540923.tif 000046
2013540923.tif 000047
2013540923.tif 000048
2013540923.tif 000049
2013540923.tif 000050